(57)【要約】【課題】  メンテナンスに費やす時間と労力を削減することのできる変圧器負荷時タップ切換器の制御装置を提供する。【解決手段】  ２台の変圧器にそれぞれ対応して設けられる変圧器負荷時タップ切換器を駆動するための電動機を制御するに当たり、変圧器の出力状態を設定する設定機能２１、変圧器の出力状態の設定値と計測値との偏差に基づいて昇圧指令及び降圧指令を生成する自動電圧調整機能２２、並びに、インタロック及び駆動電源の有無を含む一定の条件が成立したとき、昇圧指令及び降圧指令の出力を許可するように論理演算する論理演算機能２３を、プログラマブルコントローラ１３及びタッチパネル型表示装置１４に持たせる。【選択図】  図２
2006128185.tif 000002
【特許請求の範囲】
【請求項１】
２台の変圧器にそれぞれ対応して設けられる変圧器負荷時タップ切換器を駆動するための電動機を制御する変圧器負荷時タップ切換器の制御装置において、
前記変圧器の出力状態を設定する設定機能、前記変圧器の出力状態の設定値と計測値との偏差に基づいて昇圧指令及び降圧指令を生成する自動電圧調整機能、並びに、インタロック及び駆動電源の有無を含む一定の条件が成立したとき、前記昇圧指令及び降圧指令の出力を許可するように論理演算する論理演算機能を、プログラマブルコントローラ及びこれに接続されたタッチパネル型表示装置に持たせたことを特徴とする変圧器負荷時タップ切換器の制御装置。
【発明の詳細な説明】
【技術分野】
【０００１】
本発明は、変圧器負荷時タップ切換器（ＬＴＣ）を駆動するための電動機を制御する変圧器負荷時タップ切換器の制御装置に関する。
【背景技術】
【０００２】
この種の従来の装置として、昇圧指令部及び降圧指令部を備え、このうち昇圧指令部は昇圧指令入力信号が入力されて所定の条件が成立するとき昇圧指令出力信号を出力するとともに、この昇圧指令出力信号をタップ切換器の駆動部が動作中に自己保持する主制御部、昇圧指令出力信号が出力されている間は昇圧指令入力信号を無効にする歩進回路部、及び、タップ切換器の駆動部の動作が開始するまでの停止期間内に昇圧指令出力信号を保持する指令保持部で構成し、降圧指令部も類似の構成とし、これらをプログラマブルコントローラに盛り込まれるソフトウェアで実現するものが開示されている（下記の特許文献１参照）。
【０００３】
図３は上述した論理演算機能をプログラマブルコントローラに持たせた変圧器負荷時タップ切換器の制御装置のハードウェア構成を示すブロック図である。この装置は、変圧器、遮断器、電動機等を含む現場設備１を制御対象として、変圧器の出力状態を設定する設定器を含み、設定値と計測値との偏差に基づいて昇圧指令及び降圧指令を生成する自動電圧調整器１１及び１２と、インタロック及び駆動電源の有無を含む一定の条件が成立したとき、昇圧指令及び降圧指令の出力を許可するように論理演算するプログラマブルコントローラ１３とを備えた構成になっている。この場合、現場設備１が２台の変圧器を備えていることに対応して２台の自動電圧調整器１１及び１２が設けられている。
【特許文献１】特開平７−３７７３０号公報
【発明の開示】
【発明が解決しようとする課題】
【０００４】
上述した従来の変圧器負荷時タップ切換器の制御装置にあっては、プログラマブルコントローラに盛り込まれるソフトウェアで論理演算機能を実現しているため、接点機構やカム機構を無くすることができ、これによって装置の信頼性向上に貢献する効果がある。
【０００５】
しかしながら、外部操作を要するスイッチ等を含む２台の自動電圧調整器１１及び１２の機能がソフトウェアで実現されていないため、メンテナンスをする場合に、多くの作業時間と労力を費やさなければならないという問題があった。
【０００６】
本発明は上記の問題点を解決するためになされたもので、メンテナンスに費やす時間と労力を削減することのできる変圧器負荷時タップ切換器の制御装置を提供することを目的とする。
【課題を解決するための手段】
【０００７】
本発明は、２台の変圧器にそれぞれ対応して設けられる変圧器負荷時タップ切換器を駆動するための電動機を制御する変圧器負荷時タップ切換器の制御装置において、変圧器の出力状態を設定する設定機能、変圧器の出力状態の設定値と計測値との偏差に基づいて昇圧指令及び降圧指令を生成する自動電圧調整機能、並びに、インタロック及び駆動電源の有無を含む一定の条件が成立したとき、昇圧指令及び降圧指令の出力を許可するように論理演算する論理演算機能を、プログラマブルコントローラ及びこれに接続されたタッチパネル型表示装置に持たせたことを特徴とする。
【発明の効果】
【０００８】
本発明は上記のように構成したことにより、メンテナンスに費やす時間と労力を削減することのできる変圧器負荷時タップ切換器の制御装置を提供することができる。
【発明を実施するための最良の形態】
【０００９】
以下、本発明を図面に示す好適な実施の形態に基づいて詳細に説明する。図１は本発明に係る変圧器負荷時タップ切換器の制御装置の構成を示すブロック図である。ここで、現場設備１は変圧器、遮断器、電動機等を含んでいる。この現場設備１の電動機を制御対象とする変圧器負荷時タップ切換器の制御装置２０は、プログラマブルコントローラ１３とタッチパネル型表示装置１４とで構成されている。
【００１０】
プログラマブルコントローラ１３は現場設備１から変圧器の出力状態に対応する電圧や電流の計測値、インタロック信号に対応する電源の有無、電動機の駆動状態等の信号を入力する。そして、設定操作に必要な情報をタッチパネル型表示装置１４に表示すると共に、選択設定可能な画面を表示して変圧器の出力状態の設定を可能とし、設定操作が終わった段階で変圧器の出力状態の設定値と計測値との偏差に基づいて昇圧指令及び降圧指令を生成し、さらに、インタロック及び駆動電源の有無を含む一定の条件が成立したとき、昇圧指令及び降圧指令の出力を許可するように論理演算して現場設備１に加える。
【００１１】
図２はプログラマブルコントローラ１３及びタッチパネル型表示装置１４で構成される変圧器負荷時タップ切換器の制御装置２０の機能をブロック図で示したもので、変圧器の出力状態を設定する設定機能２１と、変圧器の出力状態の設定値と計測値との偏差に基づいて昇圧指令及び降圧指令を生成する自動電圧調整機能２２と、インタロック及び駆動電源の有無を含む一定の条件が成立したとき、昇圧指令及び降圧指令の出力を許可するように論理演算する論理演算機能２３とを備えている。これによって、図３に示した従来装置と同様な制御を行わせることができる。
【００１２】
近年は、演算性能の向上が図られたプログラマブルコントローラの出現によって、表示装置を併用する設定機能２１、自動電圧調整機能２２及び論理演算機能２３の全てを汎用のプログラマブルコントローラ１３に持たせることが可能となり、さらに、タッチパネル型表示装置１４として液晶表示装置やプラズマ表示装置が広く普及したことと相俟って、特注品である２台の自動電圧調整器を使用しないで済む装置が実現できるため、従来の装置と比較して機器の台数が減らされ、装置の小型化が実現される。また、これによって、問題発生時の対応が容易になると同時に、メンテナンスの時間や労力を大幅に軽減することができる。
【００１３】
かくして、本実施の形態によれば、メンテナンスに費やす時間と労力を削減することのできる変圧器負荷時タップ切換器の制御装置が得られる。
【図面の簡単な説明】
【００１４】
【図１】本発明に係る変圧器負荷時タップ切換器の制御装置の一実施の形態の構成を示すブロック図。
【図２】図１に示した実施の形態の機能ブロック図。
【図３】従来の変圧器負荷時タップ切換器の制御装置のハードウェア構成を示すブロック図。
【符号の説明】
【００１５】
１  現場設備
１３  プログラマブルコントローラ
１４  タッチパネル型表示装置
２０  変圧器負荷時タップ切換器の制御装置
２１  設定機能
２２  自動電圧調整機能
２３  論理演算機能
【図１】
2006128185.tif 000003
【図２】
2006128185.tif 000004
【図３】
2006128185.tif 000005